(57)【要約】  本発明の主題は、（ｉ）スチームを生成することが可能な装置により、毛髪線維にスチームを提供する工程、及び（ｉｉ）５０℃より高い温度でこれらの毛髪線維を成形する工程を含み、スチームの適用工程と成形工程とは不連続である、毛髪線維の処理方法である。本発明の方法は、特に毛髪線維の迅速な成形を得ながら、その美容特性を改善することが可能である。【特許請求の範囲】
【請求項１】
スチームを生成することが可能な装置により、毛髪線維にスチームを適用する工程、及び５０℃より高い温度でこれらの毛髪線維を成形する工程を含み、スチームの適用工程と成形工程とは不連続である、毛髪線維の処理方法。
【請求項２】
スチームの毛髪線維への適用が、５ｇ／分より大きいスチームの量を生成することが可能な装置により実施される、請求項１に記載の方法。
【請求項３】
成形温度が９０℃より高温、好ましくは９０から２３０℃の間、好ましくは９０から２００℃の間である、請求項１または２に記載の方法。
【請求項４】
成形がスムージングアイロンで実施される、請求項１から３のいずれか一項に記載の方法。
【請求項５】
スムージングが処理される毛髪線維の塊当たり単一の通過で実施される、請求項４に記載の方法。
【請求項６】
処理される毛髪線維の塊当たり単一のスチームの適用を含む、請求項１から５のいずれか一項に記載の方法。
【請求項７】
成形がスチームの適用工程の後に実施される、請求項１から６のいずれか一項に記載の方法。
【請求項８】
スチームの適用が成形工程の前に一度だけ実施される、請求項７に記載の方法。
【請求項９】
一つ以上の美容活性成分を含む組成物を使用する、毛髪線維の美容処理工程を更に含む、請求項１から８のいずれか一項に記載の方法。
【請求項１０】
美容処理工程、その後のスチームの適用工程、次いで毛髪線維の成形工程をこの順序で含む、請求項９に記載の方法。
【請求項１１】
スチームの適用工程、その後の毛髪線維の成形工程、次いで美容処理工程をこの順序で含む、請求項９に記載の方法。
【請求項１２】
スチームの適用工程、その後の美容処理工程、次いで毛髪線維の成形工程をこの順序で含む、請求項９に記載の方法。
【請求項１３】
美容処理工程が、毛髪線維のカーリング工程、線維の洗浄工程、成形工程、永久的、半永久的、若しくは一時的染色工程、還元剤と任意に固着剤を使用する永久的変形工程、または水酸化ナトリウム若しくは炭酸グアニジンでのアルカリストレート処理工程から選択される、請求項９から１１のいずれか一項に記載の方法。  
【発明の詳細な説明】
【技術分野】
【０００１】
本発明は、毛髪線維、特に毛髪の処理のための新規な方法に関する。
【背景技術】
【０００２】
スムージングアイロンで毛髪線維を滑らかにすることが知られている。これらのアイロンは、ブロー乾燥処理とは対照的に、毛髪を引っ張ることなく高温でケラチン線維のスムージングを得ることが可能である。しかしながら、良好な滑らかな外観を得るために、アイロンの複数回の通過を実施する必要があり、それは毛髪処理時間を著しく伸張する。更に、フラットスムージングアイロンの繰り返される適用は、スムージングアイロンの操作温度のため、毛髪線維にダメージを与えることがある。
【０００３】
毛髪の処理のためスチームを使用することも知られており、このスチーム処理を各種の毛髪美容処理と組み合わせることが可能である。特に、毛髪処理方法は、毛髪成形（非永久的な成形）の分野で知られており、例えばオイル、シリコーン、酸化剤、天然染料、直接染料、その他を含む特定の化粧品組成物を事前に適用されている、機械的な張力に保持されたケラチン線維に、２分未満の時間で少なくとも７５℃の温度で、スチームを適用することを含む。例として、EP 659 395、EP 659 393、EP 659 396、及びEP 659 397の文献が挙げられる。
【０００４】
更に、スチームを送達するスムージングアイロンで毛髪を処理することが知られている。しかしながら、これらのアイロンによって分配される熱は、従来のスムージングアイロンで分配されるものより少ないので、これらのアイロンは満足な美容効果を得ることができない。特にWO 2004/002262の文献が挙げられ、これはそのような方法を利用する方法を記載しており、分配された蒸気は更に不揮発性成形化粧品製品を含む。
【先行技術文献】
【特許文献】
【０００５】
【特許文献１】EP 659 395
【特許文献２】EP 659 393
【特許文献３】EP 659 396
【特許文献４】EP 659 397
【特許文献５】WO 2004/002262
【発明の概要】
【発明が解決しようとする課題】
【０００６】
これらの方法は、毛髪線維の美容的且つ視覚的特性を改善するものではあるが、実施するのが冗長であり、しばしば困難である。更に、得られる美容効果は、洗浄の観点で持続的ではない。
【０００７】
かくして、本発明の目的は、実施するのが容易で迅速であり、少なくとも一度の洗浄に関して持続的である方法で、毛髪線維の美容的且つ視覚的特性の改善を得ることが可能な、ケラチン線維の処理のための新規な方法を開発することである。
【課題を解決するための手段】
【０００８】
この目的は本発明により達成され、本発明の主題は、
（ｉ）例えば５ｇ／分より大きいスチームの量でスチームを生成することが可能な装置により、毛髪線維にスチームを適用する工程；
（ｉｉ）５０℃より高い温度でこれらの毛髪線維を成形する工程
を含み、スチームの適用工程と成形工程とは不連続である、毛髪線維の処理方法である。
【０００９】
言い換えると、処理される毛髪線維の塊に対して、スチームの適用工程と成形工程とは、毛髪線維の同じ部分に同時に実施されるものではなく、それにも関わらず、これら二つの工程は、それらを連続的に実施するように設計された同じ装置で実施することも可能である。別法として、二つの別個の装置を、これらの不連続の工程を実施するために使用できる。本発明の範囲によれば、塊が加工される際に、成形手段に拘束されていない塊の部分にスチームが適用されるように、スチームの適用は成形工程とは離れている。加えて、この処理方法は好ましくは、毛髪の自然乾燥で実施される。「毛髪の自然乾燥」は、ブローエアまたはパルスエアの適用、例えばドライヤーまたはファンの使用を含まない乾燥と解される。
【発明の効果】
【００１０】
本発明の方法は、特に毛髪線維の迅速な成形を得ながら、その美容特性を改善することが可能である。更に、本発明の方法は、時間及び／または少なくとも一度の洗浄に関して持続的である美容特性の改善を得ることが可能である。
【００１１】
本発明の方法によって処理された毛髪線維は、従来の方法で得られるものより輝いた外観を有する改善された滑らかさを示し、これは更なる美容活性成分の不存在の場合でさえ当てはまる。
【発明を実施するための形態】
【００１２】
本発明の文脈では、用語「毛髪線維」は、毛髪のようなケラチン線維、または「エクステ」と称される合成線維を意味するものと解され、エクステは、各種の手段、特に接着結合により、ヒトの毛髪に結合されることが企図され、これは例えば毛髪のボリューム、カラー、または外観を変更することにより、ヒトの天然の毛髪の外観を変更するために実施される。
【００１３】
スチームの適用は、毛髪線維の成形工程の前または後に実施できる。特定の実施態様によれば、毛髪線維の成形は、スチームでのこれらの毛髪線維の処理の後に実施される。
【００１４】
スチームの適用は、同じ線維で複数回繰り返すことができる；しかしながら、スチームの単一の適用の後に、非常に良好な美容結果を得ることが可能である。
【００１５】
本発明の特定の実施態様によれば、スチームの量は１０から６０ｇ／分の間である。
【００１６】
スチームの適用は、本発明の方法における使用のスチームの量を生成することがそれ自体既知のいずれかの装置を使用して実施できる。特定の実施態様によれば、この装置は持ち運び可能である、即ちスチームを生成することが可能なタンクが、スチームを分配するための開口部を備えた装置の一部と接触している。
【００１７】
毛髪線維の成形工程は、少なくとも５０℃の繊維上での温度を得ることが可能ないずれかのタイプの従来既知の手段で実施できる。毛髪線維の成形手段は、例えば毛髪線維と接触でき、これらの線維に軽い張力であっても張力を適用できる加熱表面を呈し、毛髪線維を滑らかにし、成形し、またはその縺れを解くことが可能な装置である。
【００１８】
本発明の方法の特定の実施態様によれば、成形温度は９０℃より高温、好ましくは９０から２３０℃の間、特に９０から２００℃の間、例えば１５０から２００℃である。
【００１９】
一つの変形例によれば、成形工程は、スムージングアイロンを使用して実施される。特にUS 5 957 140、US 5 046 516、US 7 044 139、US 5 223 694、及びUS 5 091 629の特許に記載されたフラットスムージングアイロンが挙げられる。
【００２０】
毛髪線維の成形、特にスムージングは複数回で実施できるが、すでに非常に満足できる結果は、スムージングアイロンの単一の通過で得られる。
【００２１】
本発明の方法は、特にスチームの適用が成形の前に実施される際に、５０℃より高温での成形の実施の間で毛髪に対するダメージを減少するために、線維を満足に水和することが可能である。
【００２２】
スチームの適用が成形の後に生ずる際に、スチームは毛髪を再水和し、同じ方法で毛髪線維に対するダメージを減少するであろう。
【００２３】
好ましくは成形工程は、スチームでの処理の後に実施される。この実施態様によれば、スチームの適用は、毛髪の成形工程の前に一度だけ実施される。
【００２４】
特定の実施態様によれば、本発明の方法は更に、一つ以上の美容活性成分を含む組成物を使用して毛髪繊維を美容処理する工程を含む。
【００２５】
この美容処理工程は、スチームの適用の前若しくは後、及び／または毛髪線維の成形の前若しくは後に実施できる。この美容処理工程は、スチームの適用と同時に実施されないことは特に注意すべきである。
【００２６】
第一の変形例によれば、本発明の方法は、美容処理工程、その後のスチームの適用、次いで毛髪線維の成形をこの順序で含む。
【００２７】
第二の変形例によれば、本発明の方法は、スチームの適用、その後の毛髪線維の成形、次いで美容処理工程をこの順序で含む。
【００２８】
第三の変形例によれば、本発明の方法は、スチームの適用、その後の美容処理工程、次いで毛髪線維の成形工程をこの順序で含む。
【００２９】
これら二つの変形例によれば、本発明の方法は、第一の美容処理工程と同一または異なる、毛髪線維の事後処理または事前処理の第二の工程を含むことができる。
【００３０】
美容処理工程は、すすぎ工程が続いても続かなくても良い毛髪繊維のためのカーリング工程、線維の洗浄工程、例えば固定化ゲル、成形ムース、ラッカー、若しくはクリーム形態のリーブインコンディショナーを使用する成形工程または形状の制御工程、永久的、半永久的、若しくは一時的染色工程、還元剤と任意に固着剤を使用する永久的変形工程、或いは水酸化ナトリウム若しくは炭酸グアニジンでのアルカリ毛髪ストレート処理工程であることができる。
【００３１】
美容活性剤としては、染料前駆体、直接染料、シリコーンまたは非シリコーンの固定化または非固定化ポリマー、無機、植物、若しくは合成オイル、ワックス、還元剤、酸化剤、ＵＶスクリーニング剤、コンディショニング剤、フリーラジカルを打ち消す薬剤、金属イオン封鎖剤若しくは安定化剤、抗酸化剤、防腐剤、酸性化剤、アルカリ剤、香料、揮発性若しくは不揮発性シリコーン、反応性または化学的に不活性なポリマー、顔料、固体有機若しくは無機粒子、増粘剤、ビタミン、植物抽出物、浸透促進剤、または線維の膨潤剤が挙げられる。
【００３２】
美容処理工程は、増粘したまたはしていないローション、クリーム、若しくはゲルの形態、またはいずれかの他の適切な形態の組成物から開始して実施できる。
【００３３】
使用される組成物は一般的に、化粧品組成物で通常使用される成分、例えば溶媒、表面活性剤、増粘剤、防腐剤、香料、またはこのタイプの組成物で使用されるいずれかの他の添加剤を含むことができる水性組成物である。
【００３４】
特定の実施態様によれば、本発明の方法は、特に先行する工程が美容処理工程であるならば、更なる最終成形工程、例えばスムージング工程を含むことができる。
【００３５】
以下の実施例は、いくつかの毛髪の美容応用で使用される本発明の方法を説明する。
【実施例】
【００３６】
実施例１
毛髪の塊を洗浄し、表面上乾かす。次いで約８０％の乾燥を得るまで、毛髪を事前乾燥する。
【００３７】
本発明に記載された条件下で、これらの事前乾燥した塊にスチームを適用し、このスチームの適用に引き続き、少なくとも１００℃に加熱したスムージングアイロンにより、成形／スムージング工程を実施する。この処理を、毛髪全体に亘り塊ごとに実施する。
【００３８】
その後、５．６４の色合いを有する永久酸化染料（Majirougeの範囲由来の銅系赤明栗色）を適用し、この適用は、酸化剤（過酸化水素）の存在下で、永久染色の分野で周知の一つ以上の酸化ベースと一つ以上のカップラーを毛髪線維に適用することを含む。
【００３９】
同時に、スチームの適用工程、または上記条件下での成形工程を使用しないが、従来の加熱スムージングアイロンでのスムージングを実施する上記試験を再び実施する。
【００４０】
スチームで処理された毛髪は、単に従来の加熱スムージングアイロンで処理された毛髪より輝いて滑らかであることが観察される。
【００４１】
数回のシャンプー処理の後、スチームで処理された毛髪の色はより長く続くことが観察される。
【００４２】
実施例２
チオグリコール酸塩を含む還元クリームを、洗浄して乾かした毛髪の塊にブラシで適用する。設定時間の後、塊を再びすすぎ、次いで表面上乾かし、ヘアドライヤーを使用して８０％に事前乾燥する。
【００４３】
本発明に記載された条件下で、これらの事前乾燥した塊にスチームを適用し、このスチームの適用に引き続き、少なくとも１００℃に加熱したスムージングアイロンにより、成形／スムージング工程を実施する。この処理を、毛髪全体に亘り塊ごとに実施する。
【００４４】
その後、毛髪全体に固着剤を適用する。設定時間の後、毛髪をすすぎ、表面上乾かし、事前乾燥する。
【００４５】
同時に、スチームの適用工程、または上記条件下での成形工程を使用しないが、従来の加熱スムージングアイロンでのスムージングを実施する上記試験を再び実施する。
【００４６】
本発明の方法で処理された毛髪は、より輝いて触感が滑らかであり、美的であることが観察される。
【００４７】
数回のシャンプー処理の後、本発明の方法で得られている場合に、スムージング効果が持続することが見出される。
【００４８】
実施例３
シリコーンとカチオン性界面活性剤とを含むリーブインケア製品である、Kerastase社製のケア製品"Ciment thermique"を、洗浄して表面上乾かした毛髪の塊に適用する。次いで、約８０％の乾燥が得られるまで、塊を事前乾燥する。
【００４９】
本発明に記載された条件下で、これらの事前乾燥した塊にスチームを適用し、このスチームの適用に引き続き、少なくとも１００℃に加熱したスムージングアイロンにより、成形／スムージング工程を実施する。
【００５０】
同時に、スチームの適用工程、または上記条件下での成形工程を使用しないが、従来の加熱スムージングアイロンでのスムージングを実施する上記試験を再び実施する。
【００５１】
本発明の方法で処理された塊は、より輝いて触感が滑らかであり、美的であることが観察される。毛髪は著しく良好な滑らかさである。
【００５２】
数回のシャンプー処理の後、本発明の方法で得られている場合に、スムージング効果が持続することが見出される。
【００５３】
実施例４
Elseve社の商標のコンディショナー"Nutri-Ceramide"を、洗浄して表面上乾かした毛髪の塊に適用する。設定時間の後、塊をすすぎ、次いで表面上乾かし、ヘアドライヤーを使用して８０％に事前乾燥する。
【００５４】
本発明に記載された条件下で、これらの事前乾燥した塊にスチームを適用し、このスチームの適用に引き続き、少なくとも１００℃に加熱したスムージングアイロンにより、成形／スムージング工程を実施する。
【００５５】
同時に、スチームの適用工程、または上記条件下での成形工程を使用しないが、従来の加熱スムージングアイロンでのスムージングを実施する上記試験を再び実施する。
【００５６】
本発明の方法で処理された毛髪は、より輝いて触感が滑らかであり、美的であることが観察される。塊は著しく良好な滑らかさである。
【００５７】
数回のシャンプー処理の後、本発明の方法で得られている場合に、スムージング効果が持続することが見出される。
【国際調査報告】
2010540137.tif 000002
2010540137.tif 000003
2010540137.tif 000004